(57)【要約】【課題】見栄えを向上させながらも施工性を向上し得る手摺固定用部材及びこれを備えた手摺装置並びに手摺固定構造を提供する。【解決手段】長尺状の手摺本体２０の長手方向に沿って間隔を空けて配設され、該手摺本体を壁面２に沿わせるように固定する手摺固定用部材１０であって、壁面側端部を、前記壁面に当接される当接部１１とし、反壁面側端部を、前記手摺本体の壁面側に該壁面側に向けて開口するように長手方向に沿って設けられた嵌合溝２５に嵌め込まれる嵌込部１２とし、前記壁面から反壁面側に向けて突出するように配設される構成とされ、該嵌込部に、当該手摺固定用部材を前記壁面に固定する止具３の頭部を受け入れる凹部１３を設け、該嵌込部における反壁面側に向く該凹部の残余部位１５に、前記手摺本体とともに当該手摺固定用部材を前記壁面に固定する止具４の止着部位を設けている。【選択図】図１
2014134045.tif 000002
【特許請求の範囲】
【請求項１】
長尺状の手摺本体の長手方向に沿って間隔を空けて配設され、該手摺本体を壁面に沿わせるように固定する手摺固定用部材であって、
壁面側端部を、前記壁面に当接される当接部とし、反壁面側端部を、前記手摺本体の壁面側に該壁面側に向けて開口するように長手方向に沿って設けられた嵌合溝に嵌め込まれる嵌込部とし、前記壁面から反壁面側に向けて突出するように配設される構成とされ、該嵌込部に、当該手摺固定用部材を前記壁面に固定する止具の頭部を受け入れる凹部を設け、該嵌込部における反壁面側に向く該凹部の残余部位に、前記手摺本体とともに当該手摺固定用部材を前記壁面に固定する止具の止着部位を設けたことを特徴とする手摺固定用部材。
【請求項２】
請求項１において、
前記嵌込部における前記止着部位となる凹部の残余部位の面積を、前記凹部における前記止具の止着部位となる凹底部の面積よりも大きくしたことを特徴とする手摺固定用部材。
【請求項３】
壁面側に該壁面側に向けて開口する嵌合溝を長手方向に沿って設けた長尺状の手摺本体と、該手摺本体の長手方向に沿って間隔を空けて配設され、該手摺本体を前記壁面に沿わせるように固定する請求項１または２に記載の手摺固定用部材と、を備えていることを特徴とする手摺装置。
【請求項４】
長尺状の手摺本体の長手方向に沿って間隔を空けて手摺固定用部材を配設し、該手摺固定用部材を介して該手摺本体を壁面に沿わせるように固定する手摺固定構造であって、
前記手摺固定用部材の壁面側端部を前記壁面に当接させ、該手摺固定用部材の反壁面側端部に設けた凹部に頭部を受け入れさせるように止着した止具によって該手摺固定用部材を前記壁面に固定して該手摺固定用部材を前記壁面から反壁面側に向けて突出させるように配設し、該手摺固定用部材の反壁面側端部を前記手摺本体の壁面側に該壁面側に向けて開口するように長手方向に沿って設けた嵌合溝に嵌め込み、該手摺本体の反壁面側から手摺固定用部材の前記反壁面側端部における反壁面側に向く前記凹部の残余部位に設けた止着部位に止着した止具によって前記手摺本体とともに前記手摺固定用部材を前記壁面に固定する構造とされていることを特徴とする手摺固定構造。
【発明の詳細な説明】
【技術分野】
【０００１】
本発明は、手摺本体を壁面に沿わせるように固定する手摺固定用部材及びこれを備えた手摺装置並びに手摺固定構造に関する。
【背景技術】
【０００２】
従来より、階段や廊下等の壁面に固定される手摺が知られている。このような手摺としては、例えば、手摺自体を断面視略Ｌ字形状とし、その一端側を壁面に当接させてねじ等によって壁面に直接的に固定される構造とされたものがあった。このような手摺によれば、手摺を固定するブラケットが露出することがなく、すっきりとした印象を与えることができるものではあったが、比較的に長尺状な手摺を保持しながら壁面に固定する必要があり、改善が望まれていた。
例えば、下記特許文献１では、手すりを壁面に固定する木製手すりブラケットが提案されている。このブラケットは、壁面に固定される壁面取付け部と、該壁面取付け部の上面から上方側に突出するように設けられ、手すりが取り付けられる手すり受け部とによって、略Ｌ字断面形状とされている。また、このブラケットは、壁面取付け部に壁面に直交する方向にねじを挿通させて壁面に固定され、手すり受け部に、下方側から上方側に向けてねじを挿通させて、手すりを手すり受け部に固定する構造とされている。
【先行技術文献】
【特許文献】
【０００３】
【特許文献１】実用新案登録第３１７９１２９号公報
【発明の概要】
【発明が解決しようとする課題】
【０００４】
しかしながら、このようなブラケットでは、壁面に固定されたブラケットに手すりを取り付ける際には、ブラケットの下方側からねじを挿入して手すりを取り付ける必要があり、作業性の観点から更なる改善が望まれる。また、ブラケットを介して手すりを壁面に固定した状態では、手すりの下方側にブラケットが大きく露出することとなり、目立ち易くなる。
【０００５】
本発明は、上記実情に鑑みてなされたものであり、見栄えを向上させながらも施工性を向上し得る手摺固定用部材及びこれを備えた手摺装置並びに手摺固定構造を提供することを目的としている。
【課題を解決するための手段】
【０００６】
上記目的を達成するために、本発明に係る手摺固定用部材は、長尺状の手摺本体の長手方向に沿って間隔を空けて配設され、該手摺本体を壁面に沿わせるように固定する手摺固定用部材であって、壁面側端部を、前記壁面に当接される当接部とし、反壁面側端部を、前記手摺本体の壁面側に該壁面側に向けて開口するように長手方向に沿って設けられた嵌合溝に嵌め込まれる嵌込部とし、前記壁面から反壁面側に向けて突出するように配設される構成とされ、該嵌込部に、当該手摺固定用部材を前記壁面に固定する止具の頭部を受け入れる凹部を設け、該嵌込部における反壁面側に向く該凹部の残余部位に、前記手摺本体とともに当該手摺固定用部材を前記壁面に固定する止具の止着部位を設けたことを特徴とする。
【０００７】
本発明においては、前記嵌込部における前記止着部位となる凹部の残余部位の面積を、前記凹部における前記止具の止着部位となる凹底部の面積よりも大きくしてもよい。
【０００８】
また、上記目的を達成するために、本発明に係る手摺装置は、壁面側に該壁面側に向けて開口する嵌合溝を長手方向に沿って設けた長尺状の手摺本体と、該手摺本体の長手方向に沿って間隔を空けて配設され、該手摺本体を前記壁面に沿わせるように固定する本発明に係る手摺固定用部材と、を備えていることを特徴とする。
【０００９】
また、上記目的を達成するために、本発明に係る手摺固定構造は、長尺状の手摺本体の長手方向に沿って間隔を空けて手摺固定用部材を配設し、該手摺固定用部材を介して該手摺本体を壁面に沿わせるように固定する手摺固定構造であって、前記手摺固定用部材の壁面側端部を前記壁面に当接させ、該手摺固定用部材の反壁面側端部に設けた凹部に頭部を受け入れさせるように止着した止具によって該手摺固定用部材を前記壁面に固定して該手摺固定用部材を前記壁面から反壁面側に向けて突出させるように配設し、該手摺固定用部材の反壁面側端部を前記手摺本体の前記壁面側に該壁面側に向けて開口するように長手方向に沿って設けた嵌合溝に嵌め込み、該手摺本体の反壁面側から手摺固定用部材の前記反壁面側端部における反壁面側に向く前記凹部の残余部位に設けた止着部位に止着した止具によって前記手摺本体とともに前記手摺固定用部材を前記壁面に固定する構造とされていることを特徴とする。
【発明の効果】
【００１０】
本発明に係る手摺固定用部材及びこれを備えた手摺装置並びに手摺固定構造は、上述のような構成としたことで、見栄えを向上させながらも施工性を向上させることができる。
【図面の簡単な説明】
【００１１】
【図１】（ａ）、（ｂ）は、いずれも本発明の一実施形態に係る手摺固定用部材及びこれを備えた手摺装置並びに手摺固定構造の一例を模式的に示し、（ａ）は、図３のＸ部に対応させた一部破断概略平面図、（ｂ）は、図３のＹ−Ｙ線矢視に対応させた概略縦断面図である。
【図２】（ａ）は、同手摺装置の一例を模式的に示す一部を省略した一部破断概略斜視図、（ｂ）は、同手摺固定用部材の一例を模式的に示す概略斜視図である。
【図３】同手摺固定用部材、同手摺装置及び同手摺固定構造の一例を模式的に示す一部破断概略平面図である。
【発明を実施するための形態】
【００１２】
以下に本発明の実施の形態について、図面に基づいて説明する。
図１〜図３は、本実施形態に係る手摺固定用部材及びこれを用いた手摺装置並びに手摺固定構造の一例を模式的に示す図である。
なお、以下の実施形態では、施工した状態を基準として、上下方向等の方向を原則的に説明する。
【００１３】
本実施形態に係る手摺固定用部材１０は、図３に示すように、長尺状の手摺本体１０の長手方向に沿って間隔を空けて配設され、この手摺本体１０を壁面２に沿わせるように固定するものである。また、本実施形態に係る手摺装置１は、図３に示すように、長尺状の手摺本体２０と、本実施形態に係る手摺固定用部材１０と、を備えている。また、本実施形態では、本実施形態に係る手摺固定用部材１０及びこれを備えた手摺装置１を用いた手摺固定構造を例示している。また、本実施形態では、手摺本体２０を、長手方向を歩行方向に沿わせるように手摺固定用部材１０を介して壁面２に固定する構造としている。また、本実施形態では、手摺本体２０を、長手方向を略水平方向に沿わせて手摺固定用部材１０を介して壁面２に固定する構造としている。
この手摺本体２０は、その長手方向に沿って略等間隔を空けて配設した複数の手摺固定用部材１０を介して壁面２に固定するようにしてもよい。
なお、手摺装置１の固定対象としての壁面２としては、例えば、住居等の建物内の廊下や階段、玄関、浴室、便所、寝室等の壁面２としてもよい。また、壁面２を構成する壁内部に、手摺固定用部材１０を固定するねじや釘等の止具３，４が捩じ込まれる（または打ち込まれる）手摺下地を適宜、必要に応じて設けるようにしてもよい。
【００１４】
手摺本体２０には、図１（ｂ）及び図３に示すように、壁面２側に壁面２側に向けて開口する嵌合溝２５が長手方向に沿って設けられている。
手摺本体２０は、手摺固定用部材１０に固定される固定部２４を長手方向に沿って設け、この固定部２４に連なるように握部２１を長手方向に沿って設けた構造とされている。図例では、縦断面視（長手方向に直交する断面視）において上下方向に長尺な概ね矩形状とされた中実状の手摺本体２０を示している。この手摺本体２０は、本実施形態では、上述のように長手方向を歩行方向に沿わせるように固定される構造としており、図１（ｂ）に示すように、握部２１が固定部２４の上方側に位置するように配設される構成とされている。
【００１５】
握部２１には、図１（ｂ）及び図２に示すように、壁面２側の固定部２４側に壁面２側に向けて開口するように長手方向に沿って溝状の凹部２３が設けられている。また、握部２１には、上端部の反壁面２側を切り欠くように上方側及び反壁面２側に向けて開口するように長手方向に沿って切欠状の凹部２２が設けられている。
この握部２１の厚さ寸法（凹部２２の壁面２側の残余部位の厚さ寸法、壁面２に直交する方向に沿う寸法）や、上下寸法（凹部２３の上方側の残余部位の上下寸法）は、握り易さ等の観点から、適宜の寸法としてもよい。例えば、上記厚さ寸法及び上下寸法を、２０ｍｍ〜５０ｍｍ程度としてもよい。
【００１６】
また、本実施形態では、手摺本体２０の握部２１の上端面を、略平坦面としている。これにより、伝え歩き等をする際に、握部２１の上端面に、手等を安定的に置くことができ、また、沿わせるように滑らせ易くすることができる。
なお、握部２１の形状は、上述の例に限定されず、例えば、握部２１を、その下方側部位よりも拡径状としたり、略丸棒状等としたりしてもよい。また、握部２１の外周面に必要に応じてローレット加工等を施したり、滑り止め材等を貼着したりすることで、握部２１の外周面を、滑り止め性を有した外周面としてもよい。
【００１７】
固定部２４には、図１（ｂ）に示すように、上記した嵌合溝２５が設けられている。
嵌合溝２５は、固定部２４（手摺本体２０）の長手方向の略全長に亘って設けられている。この嵌合溝２５は、図例では、縦断面視略コ字状とされており、壁面２側を向く面（溝底部）と上下方向を向く互いに対向する面とによって区画形成されている。また、図例では、嵌合溝２５を、固定部２４の上下方向の略中央部に設けた例を示している。また、図例では、嵌合溝２５の深さ寸法（壁面２に直交する方向に沿う寸法）を、固定部２４の厚さ寸法の略１／４の寸法とした例を示している。
【００１８】
また、固定部２４には、図１（ｂ）及び図２（ａ）に示すように、手摺本体２０とともに手摺固定用部材１０を壁面２に固定する止具４の頭部を受け入れる受入凹所２６が設けられている。この受入凹所２６は、固定部２４の反壁面２側に反壁面２側に向けて開口するように長手方向に沿って設けられている。この受入凹所２６は、上記した嵌合溝２５と上下方向において略同高さ位置となるように固定部２４（手摺本体２０）に設けられている。
受入凹所２６は、固定部２４の長手方向の全長に亘って設けるようにしてもよく、または、長手方向に沿って間隔を空けて適宜の箇所に設けるようにしてもよい。また、受入凹所２６の深さ寸法（壁面２に直交する方向に沿う寸法）や凹所幅寸法（上下寸法）は、止具４の頭部が固定部２４の反壁面２側面から突出しないように、適宜の寸法としてもよい。
【００１９】
また、本実施形態では、図１（ｂ）に示すように、手摺装置１は、受入凹所２６の開口を覆うカバー２７を備えている。図例では、カバー２７の反壁面２側面と手摺本体２０の反壁面２側面とが略同一平面状となるようにカバー２７を手摺本体２０に固定した例を示している。なお、上記した受入凹所２６は、止具４の頭部がカバー２７に干渉しないように形成するようにしてもよい。
また、本実施形態では、図２（ａ）に示すように、手摺装置１は、手摺本体２０の長手方向端面を覆う端面カバー２８を備えている。この端面カバー２８は、手摺本体２０の長手方向端面の形状に概ね対応させた形状とされている。この端面カバー２８は、手摺本体２０を施工した状態で、手摺本体２０の長手方向端面が露出するような場合に、該端面に固定するようにしてもよい。
なお、これらカバー２７及び端面カバー２８は、接着剤等によって手摺本体２０に固定するようにしてもよい。また、これらカバー２７及び端面カバー２８の両方または一方を設けないようにしてもよい。
【００２０】
また、図例では、手摺本体２０の上下端部の角部を面取り形状としている。また、手摺本体２０の反壁面２側面と凹部２２を区画形成する上方側を向く面との角部及び手摺本体２０の壁面２側面と凹部２３を区画形成する下方側を向く面との角部を面取り形状としている。図例では、これら面取り形状を、Ｒ面取り形状としている。
なお、図例では、中実状とされた手摺本体２０を示しているが、このような態様に限定されず、手摺本体２０を中空状としてもよい。
【００２１】
手摺固定用部材１０は、図１（ａ）に示すように、壁面２から反壁面２側に向けて突出するように配設される構成とされている（図１（ｂ）も参照）。また、手摺固定用部材１０は、壁面側端部を、壁面２に当接される当接部１１とし、反壁面側端部を、手摺本体２０の嵌合溝２５に嵌め込まれる嵌込部１２としている。
この手摺固定用部材１０は、図１（ｂ）及び図２（ｂ）に示すように、手摺本体２０の嵌合溝２５の溝幅方向に沿う寸法（手摺固定用部材１０の厚さ寸法）を、手摺本体２０の長手方向に沿う方向の全体及び壁面２に直交する方向に沿う方向の全体に亘って略同寸法としている。また、本実施形態では、手摺固定用部材１０を、図２（ｂ）に示すように、略直方体形状としている。また、手摺固定用部材１０は、その厚さ寸法を、手摺本体２０の長手方向に沿う寸法よりも小さい寸法としている。
【００２２】
当接部１１は、壁面２側の端面が壁面２に当接される当接面とされている。
嵌込部１２は、図１（ｂ）に示すように、その厚さ寸法が手摺本体２０の嵌合溝２５の溝幅寸法と略同寸法とされている。つまり、本実施形態では、当該手摺固定用部材１０の厚さ寸法を、手摺本体２０の嵌合溝２５の溝幅寸法と略同寸法としている。なお、嵌込部１２の厚さ寸法を、嵌合溝２５の溝幅寸法よりも僅かに小さい寸法としてもよい。
また、嵌込部１２の壁面２に直交する方向に沿う寸法、つまりは手摺本体２０の嵌合溝２５の深さ寸法は、手摺本体２０の保持性や位置決め性等の観点から適宜設定するようにしてもよい。
【００２３】
また、手摺固定用部材１０自体の壁面２に直交する方向に沿う寸法は、図１及び図３に示すように、手摺本体２０を施工した状態で、手摺本体２０を壁面２から大きく突出させることなく、その握部２１を握った際に壁面２に手指が当り難くなるように、壁面２と握部２１との間に手指等が挿入し易い所定の間隙が形成されるように適宜の寸法としてもよい。この手摺固定用部材１０の壁面２に直交する方向に沿う寸法は、上記した嵌込部１２の壁面２に直交する方向に沿う寸法に応じて、また、壁面２と手摺本体２０の握部２１との間に例えば、２０ｍｍ〜５０ｍｍ程度、好ましくは、３０ｍｍ〜４０ｍｍ程度の所定の間隙が形成されるような寸法としてもよい。
【００２４】
また、嵌込部１２には、図１に示すように、手摺固定用部材１０を壁面２に固定する止具３の頭部を受け入れる凹部１３が設けられている。また、嵌込部１２における反壁面２側に向く凹部１３の残余部位（先端部）１５には、手摺本体２０とともに手摺固定用部材１０を壁面２に固定する止具４の止着部位が設けられている。
凹部１３の深さ寸法（壁面２に直交する方向に沿う寸法）は、手摺固定用部材１０を壁面２に固定する止具３の頭部を受け入れることが可能なように、かつ、手摺固定用部材１０の嵌込部１２を手摺本体２０の嵌合溝２５に嵌め込んだ状態で、凹部１３の凹底部１４が手摺本体２０（固定部２４）の壁面２側面よりも反壁面２側に位置するように適宜の寸法としてもよい。
【００２５】
また、本実施形態では、凹部１３を、嵌込部１２における手摺本体２０の長手方向に沿う一方側の角部を切り欠くように嵌込部１２に設けている。この凹部１３は、止具３の止着部位となる反壁面２側を向く凹底部１４と手摺本体２０の長手方向に沿う一方側を向く面とによって区画形成されている。このような構成により、嵌込部１２は、凹部１３の凹底部１４と先端部１５とによって段差形状とされている。
この嵌込部１２の先端部１５は、嵌込部１２が手摺本体２０の嵌合溝２５に嵌め込まれた状態で、嵌合溝２５の溝底部に当接される。
【００２６】
また、本実施形態では、図１（ａ）及び図２（ｂ）に示すように、手摺固定用部材１０は、嵌込部１２の先端部１５の面積を、凹部１３における止具３の止着部位となる凹底部１４の面積よりも大きくしている。
本実施形態では、先端部１５の面積を、凹底部１４の面積の略２倍とした例を示している。
なお、手摺本体２０及び手摺固定用部材１０としては、無垢の木材や木質積層材、木質繊維材、木粉・プラスチック複合材（ＷＰＣ）等の木質系材料からなる基材に、適宜、合成樹脂シートや突板等の表面化粧シートを貼着した構成としてもよい。また、基材としては、木質系材料に限られず、合成樹脂系材料、金属系材料等から形成されたものとしてもよい。
【００２７】
本実施形態に係る手摺固定構造は、図１及び図３に示すように、上記構成とされた手摺本体２０の長手方向に沿って間隔を空けて上記構成とされた手摺固定用部材１０を配設し、手摺固定用部材１０を介して手摺本体２０を壁面２に沿わせるように固定する構造とされている。
また、当該手摺固定構造は、手摺固定用部材１０の壁面側端部としての当接部１１を壁面２に当接させ、手摺固定用部材１０の反壁面側端部に設けた凹部１３に頭部を受け入れさせるように止着した止具３によって手摺固定用部材１０を壁面２に固定する構造とされている。また、当該手摺固定構造は、手摺固定用部材１０を壁面２から反壁面２側に向けて突出させるように配設する構造とされている。
【００２８】
この手摺固定用部材１０を壁面２に固定する際には、複数の手摺固定用部材１０を手摺本体２０の長手方向に沿うように間隔を空けて壁面２に固定するようにしてもよい。これら手摺固定用部材１０の間隔（ピッチ）は、手摺本体２０の壁面２に対する固定強度等の観点から適宜、設定するようにしてもよい。例えば、上記間隔（ピッチ）を、３００ｍｍ〜１０００ｍｍ程度としてもよく、好ましくは、３００ｍｍ〜７００ｍｍ程度としてもよい。
また、手摺固定用部材１０の壁面２への固定位置は、当該手摺固定用部材１０に固定される手摺本体２０（握部２１）が握り易い高さ位置となるような固定位置としてもよい。例えば、手摺本体２０が成人の腰高さ付近（歩行面となる床面や階段の踏面（または段鼻上面）等から７００ｍｍ〜９００ｍｍ程度の高さ）に位置するように手摺固定用部材１０を壁面２に固定するようにしてもよい
【００２９】
また、図例では、手摺固定用部材１０の凹部１３の凹底部１４に単一の止具３を捩じ込んで（または打ち込んで）、手摺固定用部材１０を壁面２に固定した例を示している（図１及び図３参照）。このように単一の止具３によって手摺固定用部材１０を壁面２に固定した場合には、手摺固定用部材１０を、止具３廻りに回転させて微調整するようにしてもよい
また、図例では、止具３を、壁面２に略直交する方向に捩じ込んで（または打ち込んで）手摺固定用部材１０を壁面２に固定した例を示している（図１参照）。
なお、凹部１３の凹底部１４に止具３の下穴や貫通孔を設けようにしてもよい。
【００３０】
また、当該手摺固定構造は、手摺固定用部材１０の反壁面側端部としての嵌込部１２を、手摺本体２０の嵌合溝２５に嵌め込み、手摺本体２０の反壁面２側から手摺固定用部材１０の先端部１５に設けた止着部位に止着した止具４によって手摺本体２０とともに手摺固定用部材１０を壁面２に固定する構造とされている。本実施形態では、手摺本体２０の反壁面２側に設けた受入凹所２６に止具４を捩じ込んで（または打ち込んで）手摺本体２０とともに手摺固定用部材１０を壁面２に固定する構造としている。
【００３１】
このように手摺本体２０を固定する際には、手摺固定用部材１０の嵌込部１２を手摺本体２０の嵌合溝２５に嵌め込み、壁面２に固定された手摺固定用部材１０に対して仮保持させるようにしてもよい。また、手摺本体２０に、受入凹所２６の開口を覆うように、カバー２７を固定するようにしてもよい。
また、手摺本体２０を手摺固定用部材１０に固定した状態では、握部２１が固定部２４の上方側に位置し、また、手摺固定用部材１０の露出する部位が手摺本体２０の壁面２側に位置する構造とされている。
【００３２】
また、図例では、手摺固定用部材１０の先端部１５に単一の止具４を捩じ込んで（または打ち込んで）、手摺固定用部材１０及び手摺本体２０を壁面２に固定した例を示している（図１及び図３参照）。
また、図例では、止具４を、壁面２に略直交する方向に捩じ込んで（または打ち込んで）手摺固定用部材１０及び手摺本体２０を壁面２に固定した例を示している（図１参照）。
なお、手摺固定用部材１０の先端部１５に止具４の下穴や貫通孔を設けるようにしてもよい。
また、上記した止具３，４は、上記した手摺下地に捩じ込まれる（または打ち込まれる）。
【００３３】
なお、上記した例では、手摺固定用部材１０の凹部１３の凹底部１４及び先端部１５に単一の止具３，４を止着して、手摺固定用部材１０及び手摺本体２０を壁面２に固定しているが、複数の止具３，４を、凹部１３の凹底部１４及び先端部１５の両方または一方に止着して手摺固定用部材１０（及び手摺本体２０）を固定するようにしてもよい。
また、上記した例では、止具３，４を、壁面２に略直交する方向に捩じ込んで（または打ち込んで）手摺固定用部材１０及び手摺本体２０を壁面２に固定しているが、止具３，４を、壁面２に対して斜め状に捩じ込んで（または打ち込んで）手摺固定用部材１０（及び手摺本体２０）を固定するようにしてもよい。
【００３４】
上記構成とされた本実施形態に係る手摺固定用部材１０及びこれを備えた手摺装置１並びに手摺固定構造は、上述のような構成としたことで、見栄えを向上させながらも施工性を向上させることができる。
つまり、当該手摺固定用部材１０は、壁面側端部を壁面２に当接される当接部１１とし、反壁面側端部を手摺本体２０の嵌合溝２５に嵌め込まれる嵌込部１２とし、壁面２から反壁面２側に向けて突出するように配設される構成とされている。従って、上記したように、当該手摺固定用部材１０を介して手摺本体２０を壁面２に固定した状態では、手摺固定用部材１０の露出する部位が手摺本体２０の壁面２側に位置することとなる。これにより、手摺固定用部材１０を目立ち難くすることができ、従来のように、手すりの下方側等に手すりを固定するブラケット等が大きく露出するようなものと比べて、見栄えを向上させることができる。
また、手摺本体２０の嵌合溝２５に嵌め込まれる嵌込部２１に、当該手摺固定用部材１０を壁面２に固定する止具３の頭部を受け入れる凹部１３を設けている。従って、当接部１１を壁面２に当接させ、嵌込部１２の凹部１３の反壁面２側を向く凹底部１４に、止具３を壁面２に捩じ込んで（打ち込んで）、当該手摺固定用部材１０を固定することができる。また、この止具３の頭部を凹部１３に受け入れることができるので、当該手摺固定用部材１０を固定する止具３の頭部が手摺本体２０の嵌合溝２５の内面（溝底部）に干渉するようなことを低減することができる。
【００３５】
また、この嵌込部１２における反壁面２側に向く凹部１３の残余部位（先端部）１５に、手摺本体２０とともに当該手摺固定用部材１０を壁面２に固定する止具４の止着部位を設けている。従って、壁面２に固定した手摺固定用部材１０の嵌込部１２を手摺本体２０の嵌合溝２５に嵌め込んだ状態で、手摺本体２０の反壁面２側の手摺固定用部材１０の止着部位に対応する部位（受入凹所２６）に、止具４を捩じ込んで（打ち込んで）、手摺本体２０と手摺固定用部材１０とを壁面２に固定することができる。これにより、例えば、壁面２に固定したブラケットの手すり受け部に対して止具を下方側から上方側に向けて捩じ込む（打ち込む）ことで手すりを固定する構造としたものと比べて、作業性を向上させることができる。また、手摺固定用部材１０の先端部１５に止着された止具４を、手摺本体２０及び手摺固定用部材１０の壁面２への固定に兼用させることができるので、手摺固定用部材１０を効率的に壁面２へ固定することができる。
【００３６】
また、手摺本体２０を、その長手方向を歩行方向に沿わせるように水平または斜め状に壁面２に配設する場合には、手摺固定用部材１０を壁面２に固定し、手摺本体２０の嵌合溝２５に手摺固定用部材１０の嵌込部１２を嵌め込むことで手摺本体２０を仮保持させることもできる。
また、単一の止具３を凹部１３に止着して手摺固定用部材１０を壁面２に固定するようにすれば、手摺本体２０を、その長手方向を歩行方向に沿わせるように斜め状に壁面２に配設する場合には、手摺固定用部材１０を、この止具３廻りに回転させて微調整することもできる。
また、当該手摺固定用部材１０は、当接部１１と嵌込部１２とを備え、壁面２から反壁面２側に向けて突出するように壁面２に配設される構成とされているので、例えば、従来のＬ字型ブラケットと比べて、構造の簡略化を図ることができる。
【００３７】
また、本実施形態では、嵌込部１２における止着部位となる凹部１３の残余部位（先端部）１５の面積を、凹部１３における止具３の止着部位となる凹底部１４の面積よりも大きくしている。従って、壁面２に固定した手摺固定用部材１０の嵌込部１２を手摺本体２０の嵌合溝２５に嵌め込んだ状態では、嵌込部１２の先端部１５が外部から認識し難くなるが、上記構成とすることで、手摺本体２０とともに手摺固定用部材１０を壁面２に固定する止具４の止着領域を大きくすることができ、止具４を止着する際の作業性を向上させることができる。
【００３８】
なお、本実施形態では、手摺本体２０を、長手方向を略水平方向に沿わせて手摺固定用部材１０を介して壁面２に固定する構造とした例を示しているが、このような態様に限られない。例えば、階段の勾配に応じた傾斜方向とされた歩行方向に長手方向を沿わせるように、手摺本体２０を斜め状に手摺固定用部材１０を介して固定する構造としてもよい。または、このように手摺本体２０を、長手方向を歩行方向に沿わせて固定する構造とした態様に代えて、手摺本体２０を、長手方向を上下方向に沿わせて固定する構造としてもよい。この場合は、手摺本体２０の形状等を適宜、変形するようにしてもよい。
また、本実施形態では、本実施形態に係る手摺固定用部材１０及びこれを備えた手摺装置１を用いた手摺固定構造を例示しているが、手摺固定用部材１０及び手摺本体２０の両方または一方が現場手配された手摺固定構造としてもよい。
【００３９】
また、本実施形態では、手摺固定用部材１０の凹部１３を、嵌込部１２における手摺本体２０の長手方向に沿う一方側を切り欠くように設けた例を示しているが、この態様に限定されない。例えば、手摺固定用部材１０の手摺本体２０の長手方向に沿う方向の途中部位等に凹部１３を設けた態様としてもよい。
また、本実施形態では、手摺固定用部材１０の先端部１５の面積を凹部１３の凹底部１４の面積よりも大きくした例を示しているがこの態様に限定されない。例えば、先端部１５の面積を、凹底部１４の面積と略同面積としたり、凹底部１４の面積よりも小さくしてもよい。
また、本実施形態では、手摺固定用部材１０を略直方体形状とした例を示しているが、この態様に限定されない。手摺固定用部材１０としては、壁面２に当接される当接部１１、手摺本体２０の嵌合溝２５に嵌め込まれる嵌込部１２、及び止具３の頭部を受け入れる凹部１３を設けた構造であれば、種々の形状とされたものとしてもよい。
また、本実施形態では、手摺本体２０を、固定部２４と握部２１とからなるものとした例を示しているが、このような態様に限られない。例えば、手摺本体２０を略丸棒形状等とし、その握部２１の一部に固定部を設けたような態様としてもよい。
【符号の説明】
【００４０】
１      手摺装置
１０    手摺固定用部材
１１    当接部（壁面側端部）
１２    嵌込部（反壁面側端部）
１３    凹部
１４    凹底部
１５    先端部（嵌込部における反壁面側を向く凹部の残余部位）
２０    手摺本体
２５    嵌合溝
２      壁面
３      止具
４      止具
【図１】
2014134045.tif 000003
【図２】
2014134045.tif 000004
【図３】
2014134045.tif 000005